(57)【要約】      （修正有）【課題】健康に関する測定値を差分値として表示することで、第三者に公開する恥ずかしさから解放され、かつ公開した情報に対する第三者のアドバイスや激励あるいは批評などを積極的に受け入れ、挫折することなく継続的に健康管理を実行できることを目的とする健康管理共有システムを提供する。【解決手段】システムは、複数ユーザーの端末装置と管理サーバーとの間でネットワークを介して、ユーザーＩＤに紐づけられた健康に関して計測したユーザーの情報として、身長、体重、その他身体各部のサイズ、服及び靴のサイズ、体脂肪率、ＢＭＩ値、血圧、血糖値などの計測情報のうち、何れか1つ以上の情報が、任意に指定した期間内における測定開始日の計測値を基準として、各ユーザーの時間軸に対する変動値を同一画面上にグラフ表示又は数値表示する手段を備える。【選択図】図１
2014123280.tif 000002
【特許請求の範囲】
【請求項１】
複数ユーザーの端末装置と、情報を管理する管理サーバーとの間でネットワークを介して、ユーザーを識別するユーザーＩＤに紐づけられた健康に関して計測した複数ユーザーの計測情報として、身長、体重、バスト、ウエスト、腕、手首、ヒップ、太もも、ふくらはぎ、足首、服のサイズ、靴のサイズ、体脂肪率、ＢＭＩ値、血圧、血糖値、体年齢、内蔵脂肪レベル、皮下脂肪率、基礎代謝、骨格筋率、筋肉量、運動量、摂取カロリー、摂取水分量、栄養分類、睡眠時間を含む計測値のうち、何れか1つ以上の前記複数ユーザーの前記情報が、任意に指定した期間内における測定開始日の計測値を基準として、各ユーザーの時間軸に対する変動値を同一画面上にグラフ表示又は数値表示される手段を備えた健康管理共有システム。
【請求項２】
前記複数ユーザーの健康に関する計測情報のグラフ表示又は数値表示に対するコメントを送受信する手段を備えていることを特徴とする請求項１記載の健康管理共有システム。
【請求項３】
請求項１記載の変動値は、任意に指定した期間内における測定開始日の測定値を画面表示することなく零表示を基準として、その後の計測値のすべてを差分値表示とすることを特徴とする請求項１又は請求項２記載の健康管理共有システム。
【請求項４】
前記ユーザーＩＤ以外の項目については、非公開とする処理手段をもつ請求項１、請求項２又は請求項３記載の健康管理共有システム。
【請求項５】
年齢および身長を基準として算出した理想値を目標値とするか、または独自に設定した値を目標値として設定する手段を画面上に備えた請求項１、請求項２、請求項３又は請求項４記載の健康管理共有システム。
【請求項６】
前記ユーザーを識別するユーザーＩＤに紐づけられた前記健康に関する計測情報とその目標値との差分値を表示する手段を画面上に備えた請求項１、請求項２、請求項３、請求項４又は請求項５記載の健康管理共有システム。
【請求項７】
前記ユーザーを識別するユーザーＩＤに紐づけられた前記健康に関する計測情報は、自分と同じ体型種類別、自分と略同じ年齢の幅を指定する年齢別、病名を指定する病名別、自分と略同じ身長の幅を指定する身長別、変動値の合計÷計測回数から得られた計測期間の平均、最初の計測日を基準とする期間または任意に指定した期間における変動値のいずれか１つ又は複数を選択したランキング表の作成欄を備えていることを特徴とする請求項１、請求項２、請求項３、請求項４、請求項５又は請求項６記載の健康管理共有システム。
【発明の詳細な説明】
【技術分野】
【０００１】
本発明は、弱い意志を引き締め健康管理の継続を促進するために健康に関して計測した数値を第３者と共有しながら管理する健康管理システムである。
【背景技術】
【０００２】
従来は、健康に関して計測した数値をそのままインターネットの画面上に表示することは恥ずかしさがあり、自己の健康に関する測定情報を第三者に公開するのを控えているのが実情である。
【０００３】
本発明は健康情報に関する計測した数値または差分値を公開することで第３者からの助言を受けることできる。
【０００４】
日々の健康を管理する上でもっとも重要となるのは意思の強さであるが、従来は自己の健康情報について他人を含む第三者と共有するという概念がなく、一人で健康情報を管理する方法しかなく、自己に甘えが生じて挫折する傾向があった。
知人や他人など第３者と健康情報に関する計測した数値または差分値を共有し、かつコミュニケーションをとり、競争心を抱くことで継続する意思を持続することができ、健康管理に対する目標達成を図ることができる。
【先行技術文献】
【特許文献】
【０００５】
【特許文献１】特許公表２０１１−５０１８４５
【特許文献２】特許公開２０１１−２００２９１
【発明の概要】
【発明が解決しようとする課題】
【０００６】
特許文献１の発明は、複数の患者から情報を収集し、疾患の治療における該治療薬の有効性を決定する発明である。
しかし、この発明は病院による管理システムであるため、個人が他人の患者情報を参照することはできない。
【０００７】
特許文献２の発明は、肥満のレベルを容易に把握できるような表示を行なう体重体組成計を提供する発明である。
しかし、この発明は個人で肥満のレベルを容易に把握し、管理するシステムであるが、第３者との肥満のレベル情報を共有することはできない。
【０００８】
本発明では健康に関して計測した数値をそのままインターネットの画面上に表示するのではなく、自己の健康に関する計測数値を差分値として表示し、健康に関する実際の測定値をそのまま第三者に公開する恥ずかしさから解放され、かつ自己の公開した健康情報に対するアドバイスや激励あるいは批評を受けることにより、第三者のコメントを積極的に受け入れ、弱い自分に対する健康管理が途中で挫折することなく継続的に健康管理が実行されることを目的とするものである。
【課題を解決するための手段】
【０００９】
請求項１に係る発明は、複数ユーザーの端末装置と、情報を管理する管理サーバーとの間でネットワークを介して、ユーザーを識別するユーザーＩＤに紐づけられた健康に関して計測した複数ユーザーの計測情報として、身長、体重、バスト、ウエスト、腕、手首、ヒップ、太もも、ふくらはぎ、足首、服のサイズ、靴のサイズ、体脂肪率、ＢＭＩ値、血圧、血糖値、体年齢、内蔵脂肪レベル、皮下脂肪率、基礎代謝、骨格筋率、筋肉量、運動量、摂取カロリー、摂取水分量、栄養分類、睡眠時間を含む計測値のうち、何れか1つ以上の前記複数ユーザーの前記情報が、任意に指定した期間内における測定開始日の計測値を基準として、各ユーザーの時間軸に対する変動値を同一画面上にグラフ表示又は数値表示される手段を備えた健康管理共有システムである。
【００１０】
請求項２に係る発明は、前記複数ユーザーの健康に関する計測情報のグラフ表示又は数値表示に対するコメントを送受信する手段を備えていることを特徴とする請求項１記載の健康管理共有システムである。
【００１１】
請求項３に係る発明は、請求項１記載の変動値は、任意に指定した期間内における測定開始日の測定値を画面表示することなく零表示を基準として、その後の計測値のすべてを差分値表示とすることを特徴とする請求項１又は請求項２記載の健康管理共有システムである。
【００１２】
請求項４に係る発明は、前記ユーザーＩＤ以外の項目については、非公開とする処理手段をもつ請求項１、請求項２又は請求項３記載の健康管理共有システムである。
【００１３】
請求項５に係る発明は、年齢および身長を基準として算出した理想値を目標値とするか、または独自に設定した値を目標値として設定する手段を画面上に備えた請求項１、請求項２、請求項３又は請求項４記載の健康管理共有システムである。
【００１４】
請求項６に係る発明は、前記ユーザーを識別するユーザーＩＤに紐づけられた前記健康に関する計測情報とその目標値との差分値を表示する手段を画面上に備えた請求項１、請求項２、請求項３、請求項４又は請求項５記載の健康管理共有システムである。
【００１５】
請求項７に係る発明は、前記ユーザーを識別するユーザーＩＤに紐づけられた前記健康に関する計測情報は、自分と同じ体型種類別、自分と略同じ年齢の幅を指定する年齢別、病名を指定する病名別、自分と略同じ身長の幅を指定する身長別、変動値の合計÷計測回数から得られた計測期間の平均、最初の計測日を基準とする期間または任意に指定した期間における変動値のいずれか１つ又は複数を選択したランキング表の作成欄を備えていることを特徴とする請求項１、請求項２、請求項３、請求項４、請求項５又は請求項６記載の健康管理共有システムである。
【発明の効果】
【００１６】
本発明は、複数ユーザーの健康に関する情報を時間軸に対する変動値でグラフ表示または数値表示することで、計測した数値を他のユーザーと共有管理しながらコミュニケーションを取ることで、ユーザー同士が競い合い、励まし合い、より良い意見を交換し、新たな情報を入手でき、弱い意志を引き締め合える、日々の計測継続と健康良好を目指すことができるシステムである。
【００１７】
本発明で使用されるユーザーＩＤは個人の特定を困難にする識別子で登録することを可能とし、かつ計測値は差分値表示とすることにより、他のユーザーと安心して情報を共有することができる。また、数値に対する羞恥心を軽減できる仕組みがあり、健康管理を促進することができるシステムである。
【００１８】
本発明は、健康に関して計測した数値を変動値としてグラフ表示または数値表示にする手段をもち、視覚による把握を容易にする。
【００１９】
さらに本発明は、ランキング表を作成することで、ユーザー同士が競争心を刺激し自己の健康管理に意欲を示し、各自の健康向上に寄与する。
【００２０】
本発明においては、管理サーバーに保管された情報は、いつでもどこでもインターネット上で参照することができる。さらに端末内にも必要な分だけ情報を取得することが可能であるため、取得済の情報であればインターネットに接続できない環境においても参照が可能である。
【図面の簡単な説明】
【００２１】
【図１】健康管理共有システムの管理サーバー構成を示す説明図である。
【図２】健康管理共有システムの全体例を示す説明図である。
【図３】データベースと認証装置の構成の一例を示す説明図である。
【図４】データベースと入力装置の構成の一例を示す説明図である。
【図５】データベースと表示装置の構成の一例を示す説明図である。
【図６】データベースと通知装置の構成の一例を示す説明図である。
【図７】目標値を設定する際に参考にする理想値の一例を示す説明図である。
【図８】目標値を設定する際に参考にする平均値の一例を示す説明図である。
【図９】カレンダー画面の一例を示す説明図である。
【図１０】一覧画面の一例を示す説明図である。
【図１１】一覧画面の一例を示す説明図である。
【図１２】グラフ画面の一例を示す説明図である。
【図１３】ユーザーのプロフィール画面の一例を示す説明図である。
【図１４】メッセージの送信画面の一例を示す説明図である。
【図１５】メッセージの送受信履歴画面の一例を示す説明図である。
【図１６】健康管理共有システムの運用例を示す説明図である。
【発明を実施するための形態】
【００２２】
図１は健康に関して計測した数値を第３者と共有しながら管理する健康管理システムの構造を示す。１はデータベース、２は認証装置、３は入力装置、４は表示装置、５は通知装置で構成される。
【００２３】
本発明の健康管理共有システムは、図２に示すように端末装置６と情報を管理する管理サーバー７との間でネットワークを介し、クライアントサーバモデルで動作する。
【００２４】
図３、図４、図５及び図６に示すデータベース１には、認証を行うために必要なユーザー情報９、健康に関する計測情報８、計測情報に対する理想値（図７参照）、計測情報に対する平均値（図８参照）、目標値、表示有無、通知有無、通知種類をとりまとめた各種設定情報が登録される。
【００２５】
図４に示すデータベース１にはユーザー情報としては、ユーザーＩＤ、パスワード、氏名、性別、生年月日、住所、ＴＥＬ、Ｍａｉｌがある。
計測情報８としては、身長、体重、バスト、ウエスト、腕、手首、ヒップ、太もも、ふくらはぎ、足首、服のサイズ、靴のサイズ、体脂肪率、ＢＭＩ値、血圧、血糖値、体年齢、内蔵脂肪レベル、皮下脂肪率、基礎代謝、骨格筋率、筋肉量、運動量、摂取カロリー、摂取水分量、栄養分類、睡眠時間、飲食の写真がある。
【００２６】
設定情報１１としては、計測の開始日、計測情報に対するそれぞれの目標とする値または目標範囲、目標を達成する期日がある。さらに、ユーザーＩＤとパスワード以外の項目に対し、それぞれの項目ごとに、公開するか否か、公開する場合には公開ユーザーの範囲と、差分値以外に計測値の表示も許可するか否か、日々の変動に対して通知するか否かとその通知種類がある。
【００２７】
図３に示す認証装置２には、認証処理部１０があり、ユーザーとして登録されているか否かをユーザーＩＤおよびパスワードで認証する装置である。
図４から図６に示すように、ユーザーとして登録された本人の場合には、ユーザーＩＤ以外のすべてのユーザー情報９、計測情報８、設定情報１１をデータベース１に対し追加・編集・削除する更新の処理が可能である。
【００２８】
図４に示す入力装置３には、入力処理部３ａがあり、データベース１に対し追加・編集・削除の更新処理がされる。
【００２９】
図５に示す表示装置４には、表示処理部４ａがあり、カレンダー画面（図９参照）より、過去に計測した値の一覧（図１０、図１１参照）やグラフ（図１２参照）を画面表示する。
【００３０】
図９に示すカレンダーには、ユーザーＩＤ、計測対象、計測月、表示区分、一覧ボタン、グラフボタン、設定ボタンがある。表示区分を選択することにより、指定した月に計測した計測対象の変動を計測と差分と矢印の３つの種類によって表示を切り替える手段をもつ。
しかしながら、表示区分の計測は、選択したユーザーにより計測値の参照許可が与えられている場合のみ選択が可能であり、参照許可がない場合には権限がない旨のメッセージが表示される。
表示区分の計測を選択した場合には計測値がそのまま表示されるが、差分を選択した場合には計測した日とその直前の計測値との差分値が表示される。矢印を選択した場合には計測した日とその直前の計測値との差分に対して上昇矢印と下降矢印で表示される。本例では、計測した日とその直前の計測値とに差分がない場合には矢印で表記しない場合を示した。
なお、一覧ボタンを押下することで過去に計測した値の一覧表（図１０参照）が表示され、グラフボタンを押下することで過去に計測した値のグラフ画面（図１２参照）が表示される。
設定ボタンを押下すると設定画面が表示され、設定画面にてユーザーＩＤを検索し、ユーザーＩＤの選択肢枠を制限する仕組みがあるため、カレンダー画面において特定のユーザーＩＤを選択しやすくなる。
【００３１】
図１０に示す過去に計測した値の一覧表には、選択されたユーザーＩＤ、計測月、表示区分によって、その月の健康に関する計測情報が計測対象別に縦列で表示される。
図１１に示す過去に計測した値の一覧表には、選択された計測対象、計測月、表示区分によって、その月の健康に関する計測情報がユーザー別に縦列で表示される。
図１０のユーザー別一覧の表示ボタン、図１１の計測対象別一覧の表示ボタンとで、図１０と図１１の画面を切り替えられる。
なお、設定ボタンを押下することで計測対象の表示・非表示や、表示の並び順を指定する仕組みをもつ。
グラフボタンを押下することで計測対象の一番左を初期対象としてグラフ画面を表示する。計測対象はグラフ画面にて変更可能である。
本例では、計測値をそのまま実数値として示した。
【００３２】
図１２に示す過去に計測した値のグラフ表には、カレンダー画面を表示するカレンダーボタン、過去に計測した値の一覧表を表示する一覧ボタン、計測期間、当月、過去３ヶ月、過去６ヶ月を計測期間として設定するボタン、ユーザーを選択する設定ボタン、計測対象、表示区分がある。
本例では、指定された計測期間内における計測開始日がユーザー毎に異なる場合を示し、かつ体重の計測値に対する変動値をグラフで示した。
【００３３】
ユーザー毎にプロ―フィール（図１３参照）を設定でき、他のユーザーに対しそれぞれの項目に対する公開を許可することで、全く知りえない他のユーザーと密接な情報交換および関係を築くことを可能とする。個人を特定する情報は表示されない。
【００３４】
ユーザー同士でメッセージを送り合う（図１４参照）ことができ、メッセージを受信した場合には指定した宛先に電子メールを送信し通知することを可能とする。
なお、メッセージの送受信履歴を参照する画面もある。（図１５参照）
【００３５】
図６に示す通知装置５には、通知処理部５ａがあり、健康情報に関する数値目標を達成した場合や、第３者からのメッセージが届いた場合に設定情報として指定された方法で通知を発される。本人以外の第３者に対しても通知対象者として通知されることも可能である。
【００３６】
図１６は、健康管理共有システムの運用例を示す。
本システムを利用するにあたってはまず、ユーザー登録が必要不可欠であり、ユーザー認証によって個人を特定し、権限の有無を判定する。
【００３７】
図１６に示すとおり、本システムに認証されログインが許可されると、まずカレンダー画面（図９参照）が表示される。カレンダー画面のユーザーＩＤは自身のユーザーＩＤが初期選択されているが、他のユーザーを選択することも可能である。カレンダー画面では選択された「ユーザーＩＤ」に対する「計測対象」の計測結果が表示区分によって一目で判断できる仕組みをもつ。
【００３８】
図１６に示すとおり、カレンダー画面にて日付を選択した後、編集権限がある場合には健康に関する計測値が入力され、保存される。編集権限がない場合には計測値の参照権限の有無を確認し、参照権限がある場合には計測値の参照許可の有無を確認する。計測値の参照許可がある場合には計測値がそのまま表示され、計測値の参照許可がない場合には開始日の計測値と指定日の計測値の差分値を表示する。編集権限も参照権限もない場合には権限がない旨のエラーメッセージが表示される。
【００３９】
図１６に示すとおり、端末装置の画面の向きが縦に変化された場合、または一覧ボタンを押下した場合には過去に計測した値の一覧（図１０、図１１参照）が表示され、端末装置の画面の向きが横に変化された場合、またはグラフボタンを押下した場合にはグラフ（図１２参照）が表示される。
端末装置の画面の向きが変化されず、グラフボタンを押下されず、カレンダーボタンが押下された場合にはカレンダー画面に戻る。
端末装置の画面の向きが変化された場合、またはグラフボタンを押下した場合で、かつ計測値があった場合には、グラフが表示される。
【産業上の利用可能性】
【００４０】
本発明は、医療産業、薬剤産業を始めとする関係者並びに広く国民に普及し、ヘルスケア分野における健康管理ツールとして寄与することができる。
【符号の説明】
【００４１】
１    データベース
２    認証装置
３    入力装置
３ａ  入力処理部
４    表示装置
４ａ  表示処理部
５    通知装置
５ａ  通知処理部
６    本人・第三者
７    管理サーバー
８    計測情報
９    ユーザー情報
１０  認証処理部
１１  設定情報
【図１】
2014123280.tif 000003
【図２】
2014123280.tif 000004
【図３】
2014123280.tif 000005
【図４】
2014123280.tif 000006
【図５】
2014123280.tif 000007
【図６】
2014123280.tif 000008
【図７】
2014123280.tif 000009
【図８】
2014123280.tif 000010
【図９】
2014123280.tif 000011
【図１０】
2014123280.tif 000012
【図１１】
2014123280.tif 000013
【図１２】
2014123280.tif 000014
【図１３】
2014123280.tif 000015
【図１４】
2014123280.tif 000016
【図１５】
2014123280.tif 000017
【図１６】
2014123280.tif 000018